【事件の表示】
　特許第２８０９５０３号「耳温度検出装置」の請求項１ないし２に係る特許に対する特許異議の申立てについて、次のとおり決定する。
【結　論】
　訂正を認める。
　特許第２８０９５０３号の請求項１ないし２に係る特許を維持する。
【理　由】
１．手続の経緯
　特許第２８０９５０３号の請求項１〜１１に係る発明についての出願は、１９８９年１２月５日（優先権主張１９８８年１２月６日、米国）を国際出願日とする出願であって、平成１０年７月３１日にその発明について特許の設定登録がなされ、その後、請求項１ないし２に係る発明の特許について、異議申立人池田英治により特許異議の申立てがなされ、取消理由通知がなされ、その指定期間内である平成１２年１月３１日に訂正請求（後日取り下げ）がなされた後、再度の取消理由通知がなされ、その指定期間内である平成１２年５月１１日に訂正請求がなされたものである。
　
２．訂正の適否についての判断
ア．訂正の内容
　特許権者が求めている、平成１２年５月１１日付けの訂正請求書に添付した訂正明細書における訂正の内容は、以下の（１）、（２）のとおりである。
（１）特許請求の範囲の請求項１において、「手で持つことのできる容器（１４）」を「手で持つことのできる単一の容器（１４）」と、「耳の中に挿入することができるように容器から延長し」を「耳の中に挿入することができるように前記容器から延長し」と、「前記センサ（２８）によって検知される前記放射」を「前記放射センサー（２８）によって検知される前記放射」と、「与えるようにしたことを特徴とする」を「与えることにより、表示温度は目標表面温度ではなく、周囲温度に直接さらされていない表面下の芯温度であり、前記延長体（１８）は前記単一の容器と一体のプローブ延長体であることを特徴とする」と訂正する。
（２）特許請求の範囲の請求項２において、「手で持つことのできる容器（１４）」を「手で持つことのできる単一の容器（１４）」と、「電子装置と、を備え」を「電子装置と、を備え、前記延長体（１８）は前記単一の容器と一体のプローブ延長体であり、」と、「耳の中で前記延長体（１８）を回転する」を「耳の中で前記プローブ延長体（１８）を回転する」と訂正する。
イ．訂正の目的の適否、新規事項の有無及び拡張・変更の存否
　上記訂正の内容（１）の訂正事項は、特許請求の範囲の請求項１において、具体的構成を更に限定しようとするものである。
　特に、「与えることにより、表示温度は目標表面温度ではなく、周囲温度に直接さらされていない表面下の芯温度であり、前記延長体（１８）は前記単一の容器と一体のプローブ延長体であることを特徴とする」部分の限定の内、「表示温度は目標表面温度ではなく、周囲温度に直接さらされていない表面化の芯温度であり」部分の限定は、例えば、特許公報２頁４欄４６〜５０行、３頁５欄９〜１０行、３頁６欄３１〜３２行の記載に基づくものであり、「前記延長体（１８）は前記単一の容器と一体のプローブ延長体である」部分の限定は、例えば、特許公報５頁９欄６行〜１９行の記載、第１図、第４図の記載に基づくものである。
　また、上記訂正の内容（２）の訂正事項は、特許請求の範囲の請求項２において、具体的構成を更に限定しようとするものである。
　特に、「前記延長体（１８）は前記単一の容器と一体のプローブ延長体であり」部分の限定は、例えば、特許公報５頁９欄６行〜１９行の記載、第１図、第４図の記載に基づくものである。
　したがって、これらの訂正の内容（１）、（２）の訂正事項は、特許請求の範囲の減縮に該当し、願書に添付した明細書又は図面に記載した事項の範囲内であり、実質的に特許請求の範囲を拡張又は変更するものではない。
ウ．独立特許要件
（訂正明細書に記載の発明）
　平成１２年５月１１日付けの訂正請求書に添付した訂正明細書において、請求項１及び２に係る発明は、その特許請求の範囲の請求項１及び２に記載された事項により特定されるとおりのものである。
（引用刊行物）
　当審が通知した特許法第２９条第２項についての取消理由で引用した刊行物１（特開昭５６−５０１１３８号公報（申立人の提出した甲第１号証））は、手持ち式のデジタル温度測定装置に関するものであり、「温度測定装置は一般的にピストル型の筐体１０を備えており、この筐体は一般的に円筒状の胴体１１と、使用者の手で把持される取手１２とを有している。」（２頁左下欄９〜１２行）こと、「検出器１７が目標物体及びフラグからの赤外線を交互に受け取るようにされる。」（３頁左上欄８〜９行）こと、「検出器１７及び温度センサ２９、３２からの信号を処理して目標物体の温度を決定する回路は、回路板１８及び胴体の後部にある付加的な回路板３３にマウントされる。」（３頁左上欄１２〜１５行）こと、「この表示装置３９は、デジタル表示部４２と、傾向指示器４３と、バツテリの電圧不足指示器４４と、パネル上の制御スイツチの状態又は位置を示す複数個の矢印とを含む液晶表示装置である。以下で詳細に述べる様に、デジタル表示部４２は温度及び放射率を指示するのに用いられ、そして傾向指示器４３は測定された温度が変化する方向及び大きさを指示する。」（３頁右上欄４〜１０行）こと、「目標物体を横切つて本装置で走査即ちスイープを行なう時には、操作者は傾向指示器４３を観察することにより目標物体の温度変化の方向及び大きさを判断することができる。この指示器は目標物体の最高及び最低温度の領域を探捜するのに特に有用である。」（５頁右下欄６〜１０行）ことが記載されている。
　同じく、刊行物２（特開昭６２−１１６２２６号公報（申立人の提出した甲第２号証））は、赤外温度計に関し、「人体の温度変化の測定に赤外温度計が広く用いられている。」（１頁右下欄１３〜１４行）こと、「この赤外温度計は、測定時に環境温度が変化することによって、筐体より放射される赤外線量の変化や、光学系の各構成要素からの輻射光量の変化等により、赤外線検知器に入射する迷光量が増減して赤外線検知器の変換電気信号レベルが変動し、測定開始時に設定していた基準黒体の温度と、基準黒体と測定物体との電気信号レベル差に変動が生じ、正確な温度計測ができないことが分かった。」（２頁左上欄２〜１０行）こと、「補正回路１４において測定物体１の信号レベルを補正信号で補正して、環境温度によって発生する測定物体１の計測誤差を補正する。」（３頁右上欄１〜４行）こと、「予めメモリ部に格納されている環境温度の変化に対応した補正レベルを読み出し、該補正レベルで測定物体の信号レベルを補正することにより、環境温度に影響されることなく正確な測定物体の温度計測を可能としている。」（４頁左上欄８〜１３行）ことが記載されている。
　同じく、刊行物３（特開昭６１−１１７４２２号公報（申立人の提出した甲第３の１号証））には、検温方法と装置に関し、「このような最小時間が経過すると、マイクロコンピュータは、スタートし、毎秒７回の割合いでサーモパイル出力レベルを得て、最大読み値を記憶する。」（１１頁右下欄２〜５行）こと、「検温するオペレータは、検温カバーが被着されたプローブを安全な圧力で患者の外耳孔へ挿入し、ＳＣＡＮキイを押してマイクロコンピュータに鼓膜アルゴリズムが開始されることを警告する。」（１１頁右下欄１７〜２０行）こと、「プローブ・ユニットをチョッパー・ユニットから取り外す時点からの最大読み取り値が鼓膜温度として表示される。」（１２頁左上欄１４〜１６行）ことが記載されている。
　同じく、刊行物４（米国特許第４６０２６４２号明細書（申立人の提出した甲第３の２号証））には、赤外線を利用した核心温度測定用の検温方法と装置に関し、「患者の核心温度（an internal body temperature）を計算するのに第１と第２の信号を比較する」（１４欄４〜６行）こと、「患者の核心温度（an internal body temperature）を決定する」（１４欄２１〜２２行）こと、「核心温度（an core body temperature）を決定する手段」（１５欄５６〜５７行）が記載されている。
　同じく、刊行物５（米国特許第４７８４１４９号明細書（申立人の提出した甲第４号証））には、自動キャリブレーションを有する赤外温度計に関し、「手で持つことができるプローブが、体の空洞（例えば、口）の組織表面からの赤外線の放射を検出するための窓と共に準備された切頭円錐部分を持っている。そのプローブの中に、組織と赤外線センサの間の温度差に依存する信号電圧を発生する赤外線センサがある。付加的な環境センサが、赤外線センサの環境温度を測定する。２つのセンサの信号は、加えられる。」（１欄２３〜３１行）こと、「第１図において、手で持つことができる、ユーザーの体に縛ることができる、或いはテーブルかベッドの上に置くことができるケース３６が、示されている。」（４欄１５〜１７行）こと、「第１番目はピークホールド機能をリセットすることであり、第２番目は自動キャリブレーション回路を作動させることである。」（５欄１３〜１５行）こと、「ピークホールド回路により最も高く検知された温度をディスプレイ表示させ、ユーザーがディスプレイ５１に表示される読み取り値を検出及び記憶できるように読み取り温度を保持させる。」（５欄３５〜３８行）ことが記載されている。
（対比・判断）
　本件請求項１に係る発明及び本件請求項２に係る発明と刊行物１〜５に記載された発明とを対比すると、本件請求項１及び２に係る発明における「前記延長体（１８）は前記手で持つことのできる単一の容器と一体のプローブ延長体であ」るという構成要件は、刊行物１〜５に記載されていないし示唆されてもいない。
　そして、本件請求項１及び２に係る発明は、上記の構成要件により、容器を手に持ってプローブ延長体を耳の中に挿入して耳温度を検出することができ、耳の導管を走査するためにプローブ延長体を回転する時、装置は正確な測定を行うことができるという、刊行物１〜５に記載の発明から予測できない作用効果を奏するものと認める。
　してみると、本件請求項１及び２に係る発明は、刊行物１〜５に記載された発明に基づいて当業者が容易に発明をすることができたものではなく、特許出願の際独立して特許を受けることができるものである。
エ．むすび
　以上のとおりであるから、上記訂正請求は、特許法等の一部を改正する法律（平成６年法律第１１６号）附則第６条第１項によりなお従前の例によるとされる、第１２０条の４第２項、及び同条第３項で準用する第１２６条第２〜４項の規定に適合するので、当該訂正を認める。
　
３．特許異議の申立てについて
　特許異議申立人は、訂正前明細書の特許請求の範囲の請求項１及び２に係る発明は、甲第１、２、３の１、３の２及び４号証（前記刊行物１〜５と同じ）に記載された発明に基づき当業者が容易に発明をすることができたものであり、特許法第２９条第２項の規定により特許を受けることができないものであるから、前記訂正前明細書の特許請求の範囲の請求項１及び２に係る発明の特許は取り消されるべきである旨の主張をしている。
　ところが、訂正後の請求項１及び２に係る発明については、前記２．ウ．で述べたとおり、取消理由通知で示した刊行物１〜５に記載された発明に基づいて当業者が容易に発明をすることができたものとすることはできない。
　したがって、特許異議申立ての理由及び証拠によっては、本件請求項１及び２に係る発明の特許を取り消すことができない。
　また、他に本件発明の特許を取り消すべき理由を発見しない。
　よって、結論のとおり決定する。
【異議決定日】
平成１２年５月１９日（２０００．５．１９）
【訂正の要旨】
　特許第２８０９５０３号発明の明細書を、本件訂正明細書のとおりに、すなわち特許請求の範囲の減縮を目的として下記（１）、（２）のとおりに訂正する。
（１）特許請求の範囲の請求項１において、「手で持つことのできる容器（１４）」を「手で持つことのできる単一の容器（１４）」と、「耳の中に挿入することができるように容器から延長し」を「耳の中に挿入することができるように前記容器から延長し」と、「前記センサ（２８）によって検知される前記放射」を「前記放射センサー（２８）によって検知される前記放射」と、「与えるようにしたことを特徴とする」を「与えることにより、表示温度は目標表面温度ではなく、周囲温度に直接さらされていない表面下の芯温度であり、前記延長体（１８）は前記単一の容器と一体のプローブ延長体であることを特徴とする」と訂正する。
（２）特許請求の範囲の請求項２において、「手で持つことのできる容器（１４）」を「手で持つことのできる単一の容器（１４）」と、「電子装置と、を備え」を「電子装置と、を備え、前記延長体（１８）は前記単一の容器と一体のプローブ延長体であり、」と、「耳の中で前記延長体（１８）を回転する」を「耳の中で前記プローブ延長体（１８）を回転する」と訂正する。
（５４）【発明の名称】
耳温度検出装置
【発明の詳細な説明】
　患者の温度を測定する最も普通の方法は、舌下温度計、すなわち舌の下に置かれた温度計、を用いることである。このような温度計はいくつかの欠点を有する。読み出しの精度は、閉じたままでありそして温度計が正しく舌の下に配置された、口に依存している。測定を行なう前に、液体を飲むまたは口を通して息をすることは、読み出しに影響を与える。さらに、口は粘液源であり、この粘液は相互汚染の重大な危険を与える。また、典型的には、このような装置の読み出し当りのコストは高い。
　１つの形式の舌下温度計は、通常の水銀温度計である。このような温度計は、正確な読み出しをうるために、定常状態温度に到達するまでにかなりの時間が必要である、という欠点を有する。さらに、これらの温度計は壊れやすく、かつ、滅菌が必要であり、かつ、読み出しが難しい。
　水銀温度計の代りとして、使い捨て液晶温度計が好んでよく用いられる。使い捨てとの品であるため、滅菌の必要はなくなるが、読み出し当りのコストは高い。
　患者の温度をうるのに要する時間を短くするために、電子温度計が開発されてきた。典型的な場合、このような温度計はサーミスタを有し、そしてこのサーミスタは使い捨て被覆体の中に配置することができる。この温度計は、１０秒ないし３０秒のその測定時間の間に、定常状態温度に到達しないけれども、電子的補間により、１０秒ないし３０秒にわたっての温度読み出しがら、定常状態温度を推定することができる。温度計は扱いにくいことが多い。他の舌下温度計の場合のように、温度読み出しは一定の環境下で、特にプローブが舌の下に正確に置かれていない時、信頼性に欠ける場合がある。
　また別の電子温度計装置は、鼓室温度測定装置である。このような装置は、耳の中の鼓膜領域の温度を、赤外線の検出によって測定するものである。鼓膜領域の温度は患者の芯温度をよりょく表すものと考えられ、そして熱電対列を用いた赤外線温度測定は極めて速い。放射光検出器の上に、使い捨てスリーブを配置することができる。市販されている鼓室温度測定装置は、ハラほか名の米国特許第４，６０２，６４２号に開示されている。この特許に開示されているように、赤外線検出方式は、熱電対列に対する雰囲気温度の影響および偽の熱流による不正確さを避けるために、装置構成にいくつかの要請がなされる。
　発明の要約
　本発明は耳温度検出装置に関する。この検出装置は鼓室温度（耳温度）測定に適しており、先行技術による耳温度検出装置の欠点を解決している。例えば、ハラほか名の装置は、検査中装置の目盛検定を保持するために、放射光プローブを正確な温度にまで加熱することに頼っている。その結果、雰囲気温度がこの正確な温度を越えた場合、装置を使うことができない。おのおのの検査に対して確実に正しい目盛検定をうるために、ハラほか名の装置は、約９８°Ｆに加熱されたターゲットを有する光チョッパ形の目盛検定装置を用いる。各検査の前に、プローブの中の熱電対列がチョッパ装置ターゲットを観察して目盛検定が行なわれる。チョッパから取り出されれば、温度読み出しは敏速に行なわなければならない。それは、プローブは装置から取り出されると冷却し、したがって誤差を生ずるからである。おのおのの温度読み出しの前にチョッパ装置の中での目盛検定に対するこの要請は、厳格な実行計画を利用者に強要し、これは電子温度計のものよりもさらに厄介である。ターゲットおよびプローブを加熱するという要請により、装置の容積は大きくなり、かつ、重くなる。本発明により、熱電対列を加熱することをせずに、およびチョッパ目盛検定装置を必要とせずに、常時正しく目盛検定された放射光検出器がえられる。その結果、装置はそれ程厄介なものではなくなり、かつ、少ない電力で動作し、かつ、詳細な実行計画を立てることなく敏速に読み出しを行なうことができる。
　本発明の１つの特徴により、熱電対列は熱容量体の中に取り付けられ、そして熱電対列は、この熱容量体に熱的に結合された接点を有する。放射光を外部ターゲットから熱電対列へ導くために、熱伝導率が大きくかつ光を反射する管が熱容量体に結合される。熱障壁体が熱容量体と管を取り囲む。熱容量体の温度、したがって、熱電対列冷接点温度は、雰囲気と一緒に浮動することができる。熱電対列の出力を補償するために、熱容量体の温度の測定が行なわれる。
　管と熱電対列冷接点との間に温度差があると、読み出しが不正確になる。これらの温度差を避けるために、大きな熱容量体を用いることにより、熱障壁体を通して流れる熱による温度変化が小さくなり、そして熱容量体の中の熱伝導率が大きいと、コンダクタンスが大きくなりかつ温度勾配が小さくなる。熱障壁体を通しての熱容量体と管への熱伝導に対する外側熱的ＲＣ時定数は、管と熱容量体に転送される熱に対する冷接点の温度応答に対する内側熱的ＲＣ時定数よりも、大きさが少なくとも２桁大きい、または少なくとも３桁大きいことが好ましい。敏速な読み出しのために、内側ＲＣ時定数は約１／２秒またはそれ以下であるべきである。
　熱電対列は、リングの中に張られた膜に取り付けられることが好ましい。このリングは、隣接するリングを貫通し、そして熱電対列が取り付けられた膜の側面まで延長された、導電性のピンの上に保持される。この膜は、隣接するリングから間隔を有して配置される。リングおよび熱電対列は熱伝導率の小さな気体の体積によって取り囲まれる。この熱伝導率の小さな気体の体積が熱伝導性管の長さにわたって広がっていることが好ましい。それを通して導電体が延長されている、膜と隣接するリングとの間の隙間は、熱伝導性材料で満たされる。
　熱電対列は、熱伝導率の小さな気体の体積を取り囲む、金属製容器の中に取り付けることができる。熱容量体は、金属製容器とこの金属製容器に隣接する一定の長さの管とを取り囲む、環状部品を有する。この環状部品は、その外側周縁の付近で管に向ってテーパを有する。環状部品の中の金属製容器の後ろに、導電性のプラグが配置される。この金属製容器と、管と、環状部品と、プラグとは、ハンダまたは樹脂または粉末金属のような熱伝導率の大きな材料で相互に接合され、それにより、管の端部から熱電対列の冷接点への連続した低低抗路がえられる。または、これらの部品が相互に適合するように圧縮され、それにより、コンダクタンスの大きな接合体がえられる。熱障壁体は、熱容量体と管とから間隔を有して配置された、スリーブを有する。このスリーブは、金属製容器から管の端部へ向けてテーパを有する。
　放射光センサを保持しているプローブ延長体は、鼓室温度を表示する容器から延長されることが好ましい。この容器は、センサによって検出された放射光を表示装置によって表示される鼓室温度に変換するための電子装置に、電力を供給する電池を保持する。装置の全体は、片手で持てるパッケージの中に収納することができる。それは、チョッパ目盛検定装置が必要でないからである。携帯用装置の中に電子装置を収納することによる重量のわずかな増加は、読み出しを敏速に行なうことができるので、許容することができる。読み出しは５秒以内に行なうことができ、そして２秒以内であることが好ましい。
　プローブ延長体は、容器の端部から約１５°の角度で延長された中間延長体から、ほぼ直角に延長されることが好ましい。この延長体の表面は、その遠方端からその長さに沿って、耳鏡の場合と同様の曲線に従い、外側に湾曲している。取りはずし可能プラスチック・シートの形式の清潔な被覆体を、プローブの端部の上に張ることができる。このシートは、プローブの側面のポストの上にシート内のホールを配置することによって、プローブの上に保持される。
　多数個のシートが透明で可撓性を有する膜のテープの形に作成され、そしてこのテープを横断する切り取り長によって引き裂くことにより、個別の被覆体がえられる。プローブを横断してシートを保持するためのホールが、切り取り長の両側に作成される。テープの上に補強されたテープが配置され、そして切り取り長は補強されたテープを貫通するミシン目によって作成される。この応用の場合、膜は赤外線に対して透明でなければならない。この被覆体は、例えば、可視光線または音波またはこれらと同等のものに対して透明である膜を用いることによって、他の測定装置に適応させることができる。赤外線測定の場合には、ポリエチレンのシートは好ましい膜である。
　電子装置は、デイジタル入力を受け取るための光信号検出器と、電気的に消去可能プログラム可能読み出し専用メモリ（ＥＥＰＲＯＭ）を有することができる。プロセッサは、光信号検出器からの入力に応答してＥＥＰＲＯＭの中に情報を記憶するようにプログラムされ、そしてこの記憶された情報を用いて、放射光に応答するおよび表示装置を駆動するようにプログラムされる。プロセッサはまた、表示の変調によって外部光信号検出器に情報を転送する、通信モードで動作するようにプログラムされることができる。通信は、目盛検定期間中、表示装置の上に適合するブートを通して、外部コンピュータと行なうことができる。
　ＥＥＰＲＯＭの中に記憶された情報の中に、目盛検定情報があることができる。それはまた、検出された放射光に対する表示装置の範囲および増分応答や、特定の装置の個性を特徴づける他の情報を確率することができる。例えば、ＥＥＰＲＯＭの中に記憶された情報は、表示が華氏度または摂氏度のいずれであるかを決定することができる。この情報は、スイッチによって制御することができる。このスイッチに、プロセッサが応答する。装置は音源を有することができる。記憶された情報は、音源が作動されるタイミングを決定することができる。例えば、記憶された情報は、放射光検出器がオンになった後、予め定められた時刻の読み出しに表示装置をロックさせることができ、そして表示装置がロックされる時、記憶された情報は音源を作動させることができる。同様に、記憶された情報は、予め定められた時間の後、放射光検出器をオフにすることができ、そして放射光検出器がオフにされる時、音源が作動される。または、記憶された情報は一定の時間間隔の間に検出されたピーク放射光を表示装置に指示させることができ、そしてセンサによって検出された放射光がほぼピークに近い時、音源を作動させることができる。
　ＥＥＰＲＯＭの中に記憶された情報は、検出された鼓室温度から口腔温度およびまたは芯温度を近似する温度に変換することができ、そしてそれが表示される。プロセッサはまた線形近似に基づいて変換を実行することができ、そして記憶された情報は線形近似の傾斜と端の点を設定することができる。例えば、線形近似はサーミスタ出力から雰囲気温度を決定するのに用いることができ、またはサーミスタ出力および熱電対列出力からターゲット温度を決定するのに用いることができる。
　電子装置は、この装置に対するオン・スイッチに付随する単純なウオッチドッグ動作を支援する。
　電子装置に電力を供給するためのスイッチによって、活性装置がオンにされる。限定された時間の間、コンデンサは電荷を蓄積し、そしてスイッチの解除の後、この電荷が活性装置を保持する。プロセッサは、活性装置を通して電力が供給された後、コンデンサを周期的に充電するようにプログラムされる。プロセッサがプログラム・ルーチンを実行するのに失敗すると、コンデンサは放電し、そして放射光検出器上の活性装置をオフにする。このスイッチはまたプロセッサに直接に結合することができ、それにより、放射光検出器が他の機能のためにオンにされた後、プロセッサはスイッチの作動に応答することができる。
［図面の簡単な説明］
　本発明の前記およびその他の目的、特徴および利点は、添付図面を参照しての本発明の下記の好ましい実施例の具体的な説明から明らかになるであろう。添付図面において、すべての図面にわたって、同じ部品には同じ整理番号が付されている。図面は必らずしも正しい尺度で示されているわけではなく、本発明の原理を示すところでは強調が行なわれている。
　第１図は本発明による鼓室温度測定のための放射光検出器を示す。
　第２Ａ図は第１図の検出器のプローブを被覆する使い捨てシートを示す。第２Ｂ図は第２Ａ図の使い捨てシートのテープを示す。第２Ｃ図は第２Ｂ図のテープのＺ字形折り返しによって作成されたシートの積層体を有する箱の立体図。第２Ｄ図はこのようなシートのロールの図。
　第３Ａ図は第１図の放射光検出器のプローブの上にそれを越えて張られた第２Ａ図のシートの側面図。第３Ｂ図は第３Ａ図の線Ｂ−Ｂから見たプローブの上のシートの図。
　第４図は第１図の検出器の延長体の横断面図。この延長体の中に、熱電対列放射光検出器が配置される。
　第５図は第４図の熱電対列組立体の横断面図。
　第６図は第１図の検出器の電子回路のブロック線図。
　第７図は、目盛検定手続期間中、第１図の検出器の上に配置されたブートを示す。
　第８Ａ図〜第８Ｄ図は装置のファームウェアの流れ図を示す。
　好ましい実施例の説明
　第１図の放射光検出器１２は平板状容器１４を有する。この容器１４は、鼓室の温度測定を表示するためのデイジタル表示部１６を有する。この表示部は容器のどの位置にでも配置することができるが、測定中それを見るために使用者が体を曲げなくてもよいように、端部に配置されることが好ましい。耳の導管を走査するために回転する時、装置は正確な測定を行ない、そして使用者は走査動作にだけ集中すべきである。この時、表示部を読み出すことができる。容器１４の反対側端部のプローブ１８の中に、熱電対列放射光センサが保持される。延長体１８は、中間延長体２０から直角に延長される。中間延長体２０は、容器１４から約１５度の角度で延長される。このように、延長体１８および延長体２０を有するこの検出器のヘッドは、従来の耳鏡の外見を有する。オン／オフ・スイッチ２２がこの容器に取り付けられる。
　この検出器の延長体の横断面図が、第４図に示されている。ベース部分２２が容器１４の中に配置され、そして容器は溝２４を締め付ける。前記のように、延長体２０は、容器から、したがって、ベース部分２２から、約１５度の角度で延長される。延長体１８は２６の遠方端部に向けて細くなっており、それにより、鼓膜およびまたは耳導管を観察するために、耳の中に苦痛なく配置することができる。
　延長体１８の上に用いられる好ましい使い捨て素子が、第２Ａ図に示されている。それは、赤外線に対して透明な、ポリエチレンのような伸張可能なプラスチックの０．５ミルの平らなシート４２である。このプラスチック薄板の両端部に、補強されたシート４４および４６がそなえられ、そしてこの補強された領域の中にホール４８および５０がそなえられる。この平らなシートは、第３Ａ図および第３Ｂ図に示されているように、延長体１８の遠方端の上を覆って引張られ、そして延長体１８の両側面から突き出ているピン５２とピン５４のような固定装置に押し付けられる。または、このシートを保持するために、ポリエチレンと接着する材料がプローブにそなえることができる。この平らなシートは延長体１８の全長にわたってその側面に密着するわけではないが、十分に伸張可能であって、延長体の端部にきちんと適合し、そして十分な可撓性を有していて、この延長体が耳の中に挿入された時、薄いシートはすぐに曲って、患者に不快感を与えない。
　補強されたシート４４および４６は、プローブを越えて延長されたタブの役割りを果たす。これらのタブは容易にしっかりとつかむことができ、それによりプローブ上でのシートの位置決めをすることができ、そしてまたプローブからシートを取り外すことができる。使い捨て被覆体は補強されたシート部分のないもので作成することもできるが、より丈夫に補強されたシートで作成された使い捨て被覆体は、取り扱いがはるかに容易である。
　プローブの端部の直径は約３／８インチであり、そしてシート４２の幅は約２インチである。したがって、シートが引き伸ばされた時、プローブを包み込むことができる。ホールの間の距離は約４１／２インチであり、この距離は、シートをプローブにしっかりと取り付けるためには、約１／８インチシートを伸張させることが必要であることを示す。
　プローブの端部の先端は丸くなっており、したがって、プローブを耳の中に挿入する時、患者に苦痛を与えることなく、プローブをある程度回転することができる。耳鏡のように、このプローブは耳と衝突しないようにまた湾曲した形状を有する。したがって、プローブを回転することにより、耳導管が走査される。この走査中、プローブがある方位にある時、最大温度が観測されることを確認することができる。鼓室領域に達する耳導管空洞は最高温度の領域であるから、この装置は最高値検出モードに設定され、そして走査期間中に検出された最高値が鼓室温度として採用される。口腔の温度を電子温度計で読み出すのと異って、鼓室の温度を赤外線で読み出すことは、非常に廉価でかつ使い捨てにすることが可能である。使い捨てであるから、口腔温度計の場合のように、歯によって切断されることを防止するために十分にざらざらしている必要はなく、したがって、ざらざらしていることによる汚染を防止することができる。
　個々のシートは第２図に示されたシートのテープから引きちぎられることが好ましい。シートはポリエチレンの連続したテープで作成される。補強された部分をうるために、テープに沿って接着テープが周期的に配置される。このテープは各シートの端部の同じレベルの位置で打ち抜かれ、ホール４８および５０がえられる。この補強されたテープおよびポリエチレンは、５５の位置にミシン目が入れられ、テープから引きちぎることにより、容易に個々のシートをうることができる。
　第２Ｃ図に示されているように、このテープはＺ形に折り返され、使い捨てシートの積層体がボール箱５７の中に収納される。１つが引きちぎられると、また別のものが現われる。または、第２Ｄ図に示されているように、テープをロール形にすることができる。このロールがまた、ボール箱の中に収納することができる。いずれの場合にも、ボール箱に接着剤をそなえることができ、それにより、電子温度計の場合に用いられるのと同様の方式で、容器１４の側面に取り付けることができる。
　第４図に示されているように、金属製容器３０の中に配置された熱電対列２８は、管３２を通して、耳導管の中の赤外線放射光を観測する。金属製基体容器３０と管３２の両方が、銅のプラグ３６および環状部品３４を有する導熱体と、熱的に密に接触している。延長体１８の外側スリーブ３８と中間延長体は、熱伝導率の小さなプラスチック材料である。スリーブ３８は、絶縁用空隙４０によって、導熱体３４から分離される。導熱体３４の勾配は絶縁用空隙を延長体の端部にまで達することを許容し、一方、管３２の端部から熱電対列への熱抵抗値を最小にする。このパラメータは下記で詳細に考察される。プラスチック・スリーブ３８の内側表面は熱の良導体で被覆することができる。この被覆により、耳との接触により受け取られる熱はすべて、スリーブの全体に分布する。２０ミルの厚さの銅の被覆体が適切であるであろう。
　金属製容器３０の中の熱電対列の詳細図が第５図に示されている。管３２と金属製容器シリンダ３０は、相互にハンダ付けされて、一体化された装置となる。この装置の中にキセノンのような熱伝導率の小さな気体媒体が入れられ、そして管とシリンダ３０を満たし、熱電対列薄層体２８を取り囲む。管はゲルマニウムの窓５７によって閉じられる。管の内部は金でメッキされ、それにより反射率が高くなり、赤外線放射光を薄層体にさらに良く伝送することができる。
　管３２と金属製容器３０を単一の装置として作成するまた別の方法は、金属製容器の上に窓を有する従来の熱電対列組立体を用いることと、走査の前に導波管を配置することである。けれども、管の内壁の汚染を防止するために、管の遠方端に丈夫な窓を配置すべきである。２つの窓は、熱電対列が受け取る放射光信号を弱くするであろう。
　熱電対列は、酸化ベリリウムのリング６０の裏側表面に取り付けられたポリエステル・シート５８（マイラの商標名で市販されている）の裏側表面に取り付けられる。熱電対列に対する接触は、ピン６２とピン６４を通して行なわれる。これらのピンは、酸化ベリリウム・リング６６の積層体を通って延長されている。酸化ベリリウムを用いる理由は、それは電気の絶縁体であるが、熱の良導体であるからである。容器導電体６８は容器と接触している。熱電対列との接続は、シート５８の上に印刷された導電体膜によってえられる。この膜の表面剥脱を防止するために、通常、リング６０は、隣接するリング６６からわずかに離して配置される。下記で説明されるように、本発明を実施するのに、熱伝導がよいことが重要である。空隙を満たしているキセノン・ガスは、熱電対列の冷接点への伝導を大幅に小さくすることがわかった。本発明の１つの特徴により、この空隙７０は導熱材料で満たされる。この空隙を満たす材料は、熱伝導率の大きな樹脂であることが好ましいが、キセノンによる小さな熱伝導を大幅に改善する材料ならば、実質的にどのような材料であってもよい。
　装置の設計目標の１つは、予熱する時間を必要とせずに、常に正しい目盛検定状態がえられることである。このことは、前記ハラほか名の特許に開示されているような熱電対列の冷接点の加熱、またはチョッパ装置の中の加熱されたターゲットの使用を排除する。この設計目標を達成するために、この装置は広い範囲の雰囲気温度で熱電対列と共に動作することができることと、熱電対列の出力がどのような熱擾乱に対して非常に低い感度を有することが必要である。
　熱電対列の出力は、放射によって加熱された加熱接点と、金属容器３０と密に熱接触している冷接点との間の温度差の関数である。高温接点が窓５７を通して入ってくる放射だけに応答するために、測定中にわたって、管３２が冷接点と同じ温度にあることが重要である。この目的のために、管３２の中の温度の変化が最小に保たれなければならなく、そしてもしこのような変化が生じたならば、熱勾配が生じないように、急速に冷接点に再分配されなければならない。温度変化を最小にするために、もちろん、管３２および金属製容器３０は空隙４０によって十分に絶縁される。さらに、冷接点に対して高コンダクタンス熱伝導路がそなえられる。管３２および容器３０は、熱容量体３４および３６と熱的に密に接触している。これらの熱容量体の熱伝導率が大きくおよび厚さが大きいので、熱的コンダクタンスは大きい。熱伝導率の大きな樹脂、ハンダまたはこれらと同等の材料が、管および金属製容器および熱容量体を接合する。ハンダまたは樹脂により、熱抵抗値が大幅に小さくなる。ハンダが用いられる場合、１２５℃の温度にまで加熱されることにより熱電対列に与えられる損傷を最小にするために、インジウム・スズ合金の低温ハンダが用いられる。この低温ハンダは１００℃で溶融して環状熱容量体３４の中に流れ込み、すべての素子の間に良好な熱的結合がえられる。
　プラスチック・スリーブ３８の外側表面から熱伝導性熱容量体への熱抵抗は高く、それにより内側熱容量体に対する熱擾乱が最小にされる。実際に起こる管３２へのなんらかの熱の移動がある場合、この管の温度の変化を最小にするために、管３２と、容器３０と、環状体３４と、プラグ３６との熱容量は大きくなければならない。測定中、管の中にある程度の温度変化がある場合、その際の温度勾配を最小にするために、熱容量体の任意の２点間の熱抵抗は小さくなければならない。
　熱障壁の時定数が大きいことにより、延長体が皮膚に接触する時のような外部からのなんらかの熱的擾乱は、数秒間の測定期間の間、熱伝導性熱容量体を極めて低いレベルに到達させる。冷接点と接触している材料の熱容量が大きいので、このような熱の転送は小さな温度変化だけを生ずる。熱容量体の全体が熱の良導体であるので、温度のどのような変化も急速に分散し、そして冷接点の温度に急速に反映されるので、これらは温度の読み出しに影響を与えない。
　熱的障壁を通しての熱容量体および管への熱伝導に対する熱的ＲＣ時定数は、管および熱容量体へ転送された熱に対する冷接点の温度対応の熱的ＲＣ時定数よりも、少なくとも２桁大きくなければならない。熱的障壁を通しての熱伝導に対するＲＣ時定数は、熱的障壁を通る熱抵抗が大きいことと、熱容量体の熱容量が大きいこととにより、大きくなる。熱伝導率の大きな銅管、金属製容器、および熱容量体を通しての冷接点への低熱抵抗路によって、および、熱電対列へのピン導電体および酸化ベリリウム・リングの積層体の熱容量が小さいことによって、冷接点の応答に対するＲＣ時定数は小さくなる。
　冷接点の熱容量は当然小さいけれども、熱容量体の熱容量と、熱的障壁を通る熱抵抗と、内部熱抵抗とを最適にするさいに、寸法による制約がある。具体的にいえば、外部熱抵抗は半径寸法を大きくすることによって大きくすることができ、熱容量体の熱容量はその寸法を大きくすることによって大きくすることができ、管を通る縦伝熱路を通しての熱抵抗はその寸法を大きくすることによって小さくすることができる。他方、延長体が耳の中で簡単に位置決めできるおよび操作できるように、その寸法は制限されなければならない。
　環境から熱が転送される以外に、熱伝導性熱容量体へのまた別の重要な熱流路は、この装置への導線を通してのものである。この経路を通っての熱の転送を最小にするために、導線の直径は小さくされる。さらに、導線は穴７０を通るプラグ３６の中に埋め込まれる。したがって、これらの導線を通して装置の中に流入する熱はすべて熱容量体の全体に急速に分散し、小さな温度変化と小さな温度勾配が生ずるだけである。
　熱容量体の温度は制御されないから、そして熱電対列の応答はその冷接点温度の関数であるから、冷接点温度が監視されなければならない。この目的のために、プラグ３６の中央穴７２の端部に、サーミスタが配置される。
　熱電対列からの信号に応答して表示装置１６に温度読み出しをうるために、容器１４の中に配置された、電子装置の概要図が第６図に示されている。この装置は、プロセッサ・チップの中の読み出し専用メモリにそなえられたソフトウェア・ルーチンを処理するマイクロプロセッサ７３に基づいている。このプロセッサは、モトローラ社から市販されている６８０５プロセッサであることができる。
　高温接点と冷接点との間の温度差により熱電対列２８の両端に生ずる電圧は、演算増幅器７４で増幅される。演算増幅器７４からのアナログ出力は、マルチプレクサ７６へ１つの入力として送られる。マルチプレクサ７６へのまた別の入力は、電圧分割器Ｒ１、Ｒ２から取り出された電圧である。この電圧は、電源７８からの電位Ｖ＋で示された電圧である。マルチプレクサ７６への第３の入力は、ブロック３６の穴７２に取り付けられたサーミスタＲＴ１の両端の電位である。サーミスタＲＴ１は、基準電位ＶＲｅｆの両端間に、Ｒ３と共に電圧分割回路の中に接続される。マルチプレクサヘの最後の入力は、使用者が調整することができるポテンシオメータＲ４から取り出された電位である。この装置は、多数の方法のうちのいずれかで、これらの入力に応答するようにプログラムすることができる。特に、ポテンシオメータは、利得制御として、または直流オフセット制御として、用いることができる。
　マイクロプロセッサ７３のソフトウェア・ルーチン期間中の任意の時刻において、４個のうちの１つの入力がセレクト線路７８によって選定される。この選定されたアナログ信号は、集積化されたアナログ・デイジタル変換器８０の中のマイクロプロセッサによって用いられる多重スロープ・アナログ装置８０に送られる。副装置８０はテレダイン社から市販されているＴＳＣ５００Ａであることができる。それは、基準電源８２からの基準電圧ＶＲｅｆを使用する。マイクロプロセッサ７３は変換器８０からの出力に応答し、この変換器へのアナログ入力を示すカウントを生ずる。
　マイクロプロセッサは、多重化された方式で、４個の７セグメントＬＥＤ表示装置８２を駆動する。個々の表示装置は列駆動装置８４を通して順次に選定され、そしておのおのの選定された表示装置の中では、７個のセグメントはセグメント駆動装置８６により制御される。
　容器の上のスイッチ２２が押される時、電池７８から、抵抗器Ｒ５と、抵抗器Ｒ６と、ダイオードＤｌとを通して、アースヘの回路が閉じる。コンデンサＣ１は急速に充電され、そして電界効果トランジスタＴ１はオンになる。トランジスタＴ１を通して、蓄積セルフ８からのＶ＋電位が電圧制御装置８６に送られる。制御装置８６により、制御された＋５ボルトが装置に供給される。またそれにより、マイクロプロセッサに対するリセット信号がえられる。リセット信号は、＋５ボルト基準電圧が利用可能であるまで、低レベルであり、したがって、マイクロプロセッサはリセット状態に保持される。＋５ボルトが利用可能である時、リセット信号は高レベルに進み、そしてマイクロプロセッサはそのプログラムされたルーチンを開始する。
　スイッチ２２が緩められると、その回路が開放になるが、コンデンサＣ１上の電荷は保持され、トランジスタＴ１はオンの状態に保たれる。したがって、この装置は動作を続ける。けれども、コンデンサＣ１とトランジスタＴ１とにより、非常に簡単なウォッチドッグ回路がえられる。マイクロプロセッサは、コンデンサＣ１を再充電するために、駆動装置８４を通してコンデンサＣ１に信号を周期的に送る。このことにより、トランジスタＴ１はオン状態を続ける。もしマイクロプロセッサがそのプログラムされたルーチンを続行することができないならば、予め定められた時間内にコンデンサＣ１を充電することができなく、その間にＣ１の電気量は漏洩して、トランジスタＴ１がオフになってしまうレベルまでその電気量は低下するであろう。したがって、マイクロプロセッサはそのプログラムされたルーチンを続行しなければならなく、もしそうでないならば装置は停止するであろう。このことにより、プロセッサが正常に動作していない時、偽の読み出しが防止される。
　トランジスタＴ１がオンである場合、スイッチ２２はダイオードＤ２を通してマイクロプロセッサヘの１つの入力として用いることができ、それにより、プロセッサのプログラムされたいずれかの動作を開始させることができる。
　表示装置の他に、この装置は音声出力９０を有する。この音声出力は、駆動装置８４を通して、マイクロプロセッサによって駆動される。
　検出器からアナログ出力をうるために、ディジタル・アナログ変換器９２がそなえられる。線路９４によって選定される時、変換器は、線路９６上の直列データをアナログ出力に変換し、利用者に対して利用できるようにする。
　本発明の１つの特徴により、マイクロプロセッサによる処理のために要求される目盛検定と特性化データの両方が、電気的消去可能プログラム可能読み出し専用メモリ（ＥＥＰＲＯＭ）１００の中に記憶することができる。例えば、ＥＥＰＲＯＭはインターナショナルＣＭＯＳテクノロジ社から市販されている。９３ｃ４６であることができる。ＥＥＰＲＯＭが線路１０２によって選定される時、データはマイクロプロセッサによってＥＥＰＲＯＭの中に記憶することができる。ＥＥＰＲＯＭの中にいったん記憶されると、電源が切られた後でも、データは保持される。したがって、電気的にプログラム可能であるけれども、いったんプログラムされたＥＥＰＲＯＭは実質的に不揮発性メモリとして働く。
　出荷の前に、サーミスタや熱電対列の目盛検定のための検定データを記憶するために、ＥＥＰＲＯＭはマイクロプロセッサを通してプログラムされることができる。赤外線検出器の個性を定める特性化データを記憶することができる。例えば、マイクロプロセッサ７３およびその内部プログラムを有する同じ電子装置ハードウェアは、約６０°Ｆから約１１０°Ｆのターゲット温度領域において出力が正確である鼓室温度検出器に対して用いることができ、あるいは、ターゲット温度領域が約０°Ｆから約１００°Ｆである産業用検出器として用いることができる。さらに、異なるモードの動作をこの装置の中にプログラムすることができる。例えば、音源９０のいくつかの異なる利用も可能である。
　検出器の正しい目盛検定は容易に定めることができ、表示装置と関連したトランジスタＴ２を有する光通信連結体により、ＥＥＰＲＯＭは容易にプログラムされる。第７図に示されているように、目盛検定／特性化工程の期間中、検出器の端部に通信ブート１０４を配置することができる。ブートの中のフォトダイオードがディジタル的に符号化された光信号を発生し、この信号はフィルタ作用を受け、そして検出器Ｔ２に送られて、マイクロプロセッサヘの入力がえられる。マイクロプロセッサは、ディジタル表示装置８２の特定のセグメントを光らせることにより、ブートの中の検出器に対し光学的に逆方向に通信することができる。この通信連結体を通して、外部コンピュータ１０６はサーミスタおよび熱電対列からの出力を監視することができ、そして装置の目盛検定を実行することができる。目盛検定されるべき装置が２個の黒体放射源のおのおのに向かい、一方、マイクロプロセッサ７３は信号を変換し、そしてその値を外部コンピュータに送る。コンピュータには、実際の黒体温度と、検出器の制御された環境の中の雰囲気温度とが与えられ、そして目盛検定変数を計算し、それからこれらの変数を戻して検出器ＥＥＰＲＯＭの中に記憶する。同様に、特定の放射光検出器を特徴づけるデータをマイクロプロセッサに送り、ＥＥＰＲＯＭの中に記憶することができる。
　放射光検出器の中のホール１１０（第１図）の背後にスイッチ１０８が配置される。したがって、硬い金属線または硬い金属ピンによってそれを作動させることができる。このスイッチにより、利用者は特定の動作モードを制御することができる。例えば、検出器を華氏度から摂氏度へ変換することができる。この動作モードはマイクロプロセッサ７３によってＥＥＰＲＯＭの中に記憶することができ、したがって、スイッチ１０８を閉じることによって変更が指示されるまで、検出器は特定のモードで動作を続ける。
　スイッチ１０６は容器の内部にまたは容器を通してそなえられ、利用者が検出器の動作モードを設定することができる。スイッチを走査位置、ロック位置、または中立位置のいずれかに配置することにより、これらのモードのいずれかを選定することができる。第１モードは正常な走査モードであって、表示が持続的に更新される。第２モードはロック・モードであって、選択可能な表示の後、表示装置がロックされ、そしてそれから電源が回帰するまで、または自由選択的に電源オン・ボタンが押されるまで、凍結されたままである。ロックの時刻に、音源が音声を出す。第３モードはピーク・モードであって、電源オン以来電源が回帰するまでに見出された最大値を、または自由選択的に電源オン・ボタンが押されるまでに見出された最大値を、表示装置が読み出す。
　プロセッサは、分割器Ｒ１、Ｒ２からの電圧が２つの閾値のおのおの以下に降下した時を決定する。大きな方の閾値以下に降下した時、プロセッサは音源を周期的にイネーブルにして、電池が低レベルでありそして電池を取り替えるべきであることを指示するが、表示装置からの読み出しを持続することができる。小さな方の閾値以下に降下した場合、プロセッサは、どの出力も信頼できなくそして温度読み出しをもはや表示しないことを決定する。それから、電源ボタンを解除すると、この装置は停止する。
　温度読み出しをうるために、マイクロプロセッサは次の計算を実行する。第１に、サーミスタＲＴ１からの信号が、線形近似を用いて、温度に変換される。温度は１組の１次方程式によって定められる。
　ｙ＝Ｍ（ｘ−ｘｏ）十ｂ
　ここで、ｘは入力であり、ｘｏは直線近似の入力端点である。Ｍ，ｘｏ，およびｂの値が、目盛検定の後、ＥＥＰＲＯＭの中に記憶される。したがって、サーミスタから温度読み出しをうるために、マイクロプロセッサは、ｘｏの値から、温度があてはまる直線セグメントを決定し、そしてそれから、ＥＥＰＲＯＭの中に記憶された変数Ｍおよびｂに基づいて、ｙに対する計算を実行する。
　それから、雰囲気温度の４乗表現がプロセッサＲＯＭの中のルックアップ・テーブルによってえられる。検出された放射光は、ＥＥＰＲＯＭの中に記憶された目盛検定温度と、目盛検定因子と、センサ利得係数と、および検出された雰囲気温度とを用いて補正される。この補正された放射光信号と、雰囲気温度の４乗が加算され、そして４乗根がとられる。この４乗根の計算は、特定の装置に対し着目する温度領域に従って選定された線形近似にまた基づいている。また、おのおのの線形近似に対するブレーク点および係数がＥＥＰＲＯＭの中に記憶され、そして必要な時に選定される。このように計算されたターゲット温度に対し、調整因子が加えられる。この調整因子は、例えば、鼓室温度に対する口腔温度およびまたは芯温度の関係の知識に基づいて、口腔温度およびまたは芯温度に密接に対応する読み出しを可能にする因子である。また、抵抗器Ｒ４からえられる利用者の調整がこの計算された温度に加えられる。
　雰囲気温度に基づく付加的因子をまた、１つの調整として加えることができる。熱電対列によって検出される耳の温度Ｔｅは、実際には、芯温度Ｔｃではない。ＴｃとＴｅとの間には熱抵抗がある。さらに、検出された耳の温度と雰囲気温度との間に熱抵抗がある。
　えられる結果は検出温度Ｔｅであり、この検出温度は着目する芯温度と雰囲気温度との関数である。ＴｃとＴｅとＴａとの間の熱抵抗を表す仮定された定数ｃに基づいて、芯温度は下記の式で計算することができる。
　この計算は、雰囲気温度により、芯温度と検出された耳温度との問に０．５度から１度の差を考慮することができる。
　プロセッサによって実行される実際の計算は下記の通りである。ここで、次の量が用いられる。
　Ｈ　　　　は放射センサ信号
　Ｈｃ　　　は補正されたＨ（度Ｋ４）
　Ｔａｍｂ　は雰囲気温度（度Ｆ）
　Ｔａｆ　　はＴａｍｂの４乗（度Ｋ４）
　Ｔｔ　　　はターゲット温度（度Ｆ）
　Ｔｚ　　　は目盛検定のさいの雰囲気温度（度Ｆ）
　Ｔｄ　　　は表示された温度
　Ｒｔ　　　サーミスタ信号
　Ｋｈ　　　は放射光センサ利得目盛検定因子
　Ｚｔ　　　はサーミスタ・ゼロ目盛検定因子
　Ｋｔ　　　センサ利得温度係数（％／度Ｆ）
　Ｓ　　　　はステファン・ボルツマン定数
　Ｆ　　　　は調整因子
　Ｕｔ　　　は利用者調整
　Ｔａｍｂ（度Ｆ）＝サーミスタ・ルックアップ・テーブル
　（Ｒｔ）−Ｚｔ
　Ｈｃ（度Ｋ４）＝Ｋｈ＊Ｈ＊（１＋Ｋｔ＊（Ｔａｍｂ−Ｔｚ））／ｓ
　Ｔａｆ（度Ｋ４）＝４乗ルックアップ・テーブル（Ｔａｍｂ）
　Ｔｔ（度Ｆ）＝（Ｈｃ＋Ｔａｆ）１／４（最終ルックアップ・テーブル）
　Ｔｔ（度Ｃ）＝（５／９）＊（Ｔｆ（度Ｆ）−３２）自由選択
　Ｔｄ＝Ｔｔ＋Ｆ＋Ｕｔ
　下記に示されているものはＥＥＰＲＯＭの中に有することができる情報のリストであり、したがって、目盛検定の時点でプログラム可能である。
　放射光センサ・オフセット
　放射光センサ利得
　放射光センサ温度係数
　サーミスタ・オフセット
　目盛検定の時の雰囲気温度
　サーミスタ・ルックアップ・テーブル
　最終温度ルックアップ・テーブル
　調整因子Ｆ
　音源機能：
　　ロック・モードでボタンを押したときのビーという音
　　　ゼロ／２０／４０／８０ミリ秒長さ
　　ロックにおけるビーという音
　　　ゼロ／２０／４０／８０ミリ秒長さ
　　電源が切れたさいのビーという音
　　　ゼロ／２０／４０／８０ミリ秒長さ
　　電池低下のさいのビーという音
　　　ゼロ／２０／４０／８０ミリ秒長さ
　　　間隔１／２／３秒
　　　１回／２回ビー音
　タイムアウト機能：
　　電源が切れるまでの時間
　　　０．５秒増分で０．５秒から１２８秒まで
　　ロックまでの遅延
　　　０．５秒から１２８秒まで
　他の機能：
　　電源オン・ボタンはロック・サイクルをリセットする
　　電源オン・ボタンはピーク検出をリセットする装置が目盛検定されたことを示すＥＥＰＲＯＭ「目盛検定済」パターン
　　プロセッサによる自己検査のためのＥＥＰＲＯＭ検査和
　第８Ａ図〜第８Ｄ図は、マイクロプロセッサ７３に記憶されたファームウェアの流れ図である。この装置がオンにされた時のリセットから、装置が開始し、そしてＥＥＰＲＯＭの内容が１１２でマイクロプロセッサの記憶装置の中に読み出される。１１４で、マイクロプロセッサは装置の中の電源の状態とモード・スイッチの状態を読み出す。１１６で、モード・スイッチ１１３が装置を自己検査モードに配置しているかどうかを、装置が判定する。もしそうでないならば、４桁表示装置８２に全部８が短い時間の間表示される。１２０において、マルチプレクサ７６を通してのポテンシオメータ設定と熱電対列出力とのディジタル表示をうるために、装置がすべてのＡ・Ｄ変換を実行する。
　それから、モード・スイッチによって命令された出力が保持されるループに装置が入る。まず、タイマが１２２で更新され、そしてスイッチが１２４で再び読み出される。電源がオフにスイッチされる時、１２６から、装置が完全に停止するまで、装置は１２８で電源停止ループに入る。１３０で、モード・スイッチが検査され、そしてもし変更されるならば、装置はリセットされる。鼓室温度検出器にはないけれども、ある検出器は、利用者にとって利用でき、およびその動作モードがループの中で変更できる、モード・スイッチを有する。
　１３２と、１３６と、１４０とにおいて、装置はその動作モードを決定し、そして適切な走査プロセス１３４、ロック・プロセス１３８、またはピーク・プロセス１４２に入る。走査プロセスでは、装置は出力を各ループ内の最新の読み出しに更新する。ロック・プロセスでは、装置は出力を更新するが、ある時間間隔の後、出力をロックする。ピーク・プロセスでは、装置の出力は走査期間中に示された最高の表示である。これらのプロセスのおのおのにおいて、装置はＥＥＰＲＯＭからのプログラミングに応答して、前記で考察された多数の機能を実行する。鼓室温度測定のために選定されたピーク・プロセスでは、装置は予め設定された時間間隔の後、ピーク測定にロックされる。組み立ての間、装置は第８Ｄ図に関連して説明される検査モードに設定することができる。
　前記モードのいずれにおいても、１４６で出力が計算される。それから、装置のループは段階１２２に戻る。計算１４６は第８Ｂ図に示される。
　第８Ｂ図の１４８において、生センサ・データが記憶装置からえられる。ＥＥＰＲＯＭから取り出されたセンサ・オフセットは１５０で減算され、そしてポテンシオメータＲＴ１から前以ってえられた雰囲気温度が１５２で呼び出される。温度係数の調整が１５４で計算される。１５６で、検出された信号がＥＥＰＲＯＭからの利得と温度係数とによって乗算される。１５８で、雰囲気温度の４乗がえられ、そして１６０で、それがセンサ信号に加算される。１６２で、この和の４乗根がルックアップ・テーブルによりえられる。摂氏度で表示されるかまたは華氏度で表示されるかは、１６４で決定される。もし摂氏度で表示されるならば、１６６で変換が実行される。１６８で、ポテンシオメータＲ４からのものを含めた調整値が加算される。
　アナログ・デイジタル変換は、２ミリ秒毎に起こる第８Ａ図のループの割り込み期間中、周期的に実行される。割り込みルーチンは第８Ｃ図に示されている。タイマ・カウンタが１７０で更新される。以前の割り込みサイクルにおいてフラッグが設定された時、１００ミリ秒毎にだけＡ・Ｄ変換が１７２から行なわれる。大抵の割り込み期間中、Ａ・Ｄ変換は起こらない。それで、１００ミリ秒カウンタが１７４で検査され、そしてもしカウントが満了したならば、次の割り込みのためにフラッグが１７６で設定される。このフラッグが１７８で検査され、そしてもし発見されるならば、表示装置は１８０で更新される。それから、装置は第８Ａ図の主ループに復帰する。
　１００ミリ秒フラツグが１７２で注目される場合、Ａ・Ｄ変換が実行されるべきである。最初に装置は１８２で、熱電対列出力の変換が１８４であるべきか、またはサーミスタ出の変換が１８６であるべきか、のいずれをカウントが指示しているかを判定する。熱電対列センサ変換が、変換ループを通し、１０サイクルの中から９サイクルを実行する。１８８で、変換はポテンシオメータＲ４から行なわれるか、または１９２で電池電圧分割器Ｒ１、Ｒ２から行なわれるか、のいずれかを判定するために装置が検査する。これらの変換は交互に行なわれる。
　第８Ｄ図は自己検査シーケンスを示す。このシーケンスは、組み立て期間中にのみ、モード・スイッチ１１３によって呼び出される。検査期間中、ビーという音が１８２で生じ、そしてすべての表示セグメントが１８４で表示される。それから、装置は１８６で表示の文字を０から９まで順に進める。それから、装置は検査ループに入る。１８８で、装置はボタン１０８が押されたかどうかを検出する。もしボタンが押されているならば、表示カウンタは１９０で増分される。したがって、この装置に対する表示は表示カウンタのカウントに依存する。ゼロ・カウントの場合、調整ポテンシオメータ値が１９２で表示される。その後、もし表示カウンタがボタン１０８を押すことによって増分されるならば、生センサ・データが表示される。次の増分の場合、雰囲気温度が１９６で表示され、そして次の増分の場合、雰囲気温度センサＲＴ１からの生出力が表示される。次の増分の場合、電池電圧が表示される。検査の後、組立工はモード・スイッチを正しい動作モードに設定する。
　本発明が好ましい実施例に基づいて具体的に開示され、説明されたが、請求の範囲に示された本発明の範囲内において、形式および細部において種々の変更のなしうることは当業者にはわかるであろう。
（５７）【特許請求の範囲】
　１．　手で持つことのできる
単一の
　耳の中に挿入することができるように
前記
　耳の温度を表示するため容器上に設けられた温度表示装置（１６）と、
　前記センサーによって検知された放射を前記表示装置に表示する温度に変換するため前記容器（１４）に設けられた電子装置と、を備え、
　前記電子装置が、前記表示装置（１６）に表示する温度として、前記検知された放射の関数であって、周囲温度によって補正されて、前記
放射
ー
ことにより、表示温度は目標表面温度ではなく、周囲温度に直接にさらされていない表面下の芯温度であり、
　
前記延長体（１８）は前記単一の容器と一体のプローブ延長体であることを特徴とする、耳温度検出装置。
　２．　手で持つことのできる
単一の
　耳の中に挿入することができるように容器から延長し、かつ耳からの放射を放射センサー（２８）に通すようになっている延長体（１８）と、
　耳の温度を表示するため容器上に設けられた温度表示装置（１６）と、
　前記放射センサーによって検知された放射を前記表示装置に表示する温度に変換するため前記容器（１４）に設けられた電子装置と、を備え、
　
前記延長体（１８）は前記単一の容器と一体のプローブ延長体であり、
　耳の中で前記
プローブ
　３．　手で持つことのできる容器（１４）と、
　耳の中に挿入することができるように容器から延長し、かつ耳からの放射を放射センサー（２８）に通すようになっている延長体（１８）と、
　耳の温度を表示するため容器上に設けられた温度表示装置（１６）と、
　前記放射センサーによって検知された放射を前記表示装置に表示する温度に変換するため前記容器（１４）に設けられた電子装置と、を備え、
　前記センサー（２８）が低伝導性の気体媒体の中に取り付けられた熱電対てあり、前記気体媒体が、前記放射を前記熱電対に導くための伝導性の管（３２）の全長に満たされている、ことを特徴とする耳温度検出装置。
　４．　手で持つことのできる容器（１４）と、
　耳の中に挿入することができるように容器から延長し、かつ耳からの放射を放射センサー（２８）に通すようになっている延長体（１８）と、
　耳の温度を表示するため容器上に設けられた温度表示装置（１６）と、
　前記放射センサーによって検知された放射を前記表示装置に表示する温度に変換するため前記容器（１４）に設けられた電子装置と、を備え、
　前記放射センサー（２８）が、熱伝導性の部材（３０，３２，３４）の中にそれと結合して設けられ、前記部材は熱的障壁（４０）により囲まれ、前記障壁（４０）を介した前記部材（３０，３２，３４）への熱伝導の外部熱的ＲＣ時定数は、前記センサー（２８）の冷接合の前記熱障壁（４０）を通して前記部材（３０，３２，３４）へ伝導される熱に対する温度応答の内部熱的ＲＣ時定数よりも、少なくとも２桁大きいことを特徴とする耳温度検出装置。
　５．　請求項１，２または３において、前記放射センサー（２８）が、熱伝導性の部材（３０，３２，３４）の中にそれと結合して設けられ、前記部材は熱的障壁（４０）により囲まれ、前記障壁（４０）を介した前記部材（３０，３２，３４）への熱伝導の外部熱的ＲＣ時定数は、前記センサー（２８）の冷接合の前記熱障壁（４０）を通して前記部材（３０，３２，３４）への熱伝導における温度応答の内部熱的ＲＣ時定数よりも、少なくとも２桁大きいことを特徴とする耳温度検出装置。
　６．　請求項４または５において、前記内部熱的ＲＣ時定数が２秒またはそれ以下である耳温度検出装置。
　７．　請求項１，２または４において、前記センサー（２８）が低伝導性の気体媒体の中に取り付けられた熱電対てあり、前記気体媒体が、前記放射を前記熱電対に導くための伝導性の管（３２）の全長に満たされている、ことを特徴とする耳温度検出装置。
　８．　請求項１，２，３，４または５において、さらに前記延長体（１８）の端部上に伸長して設けられた、取り除き可能なプラスチツクシート（４２）を備えることを特徴とする耳温度検出装置。
　９．　請求項８において、さらに複数のプラスチツクシート（４２）のテープが設けられ、個々のシートが前記テープから引き裂かれて前記延長体（１８）の端部上に伸長されるようになっていることを特徴とする耳温度検出装置。
　１０．　請求項１，２，３，４または５において、さらに周囲温度により補正された入力放射の関数として前記温度表示装置（１６）に表示される、内部体温の近似を示す温度を与えるプロセツサを設けたことを特徴とする耳温度検出装置。
　１１．　請求項１，３，４または５において、耳の中で前記延長体（１８）を回転するときピーク温度が表示されるように前記電子装置が放射のピークを検出する放射ピーク検出手段を備えることを特徴とする、耳温度検出装置。